(57)【要約】【課題】公序良俗に反する画像や肖像権、著作権を侵害する画像等を郵便切手に印刷することを防止し、また高品質の郵便切手に印刷することが可能である。【解決手段】画像データの入力手段と、郵便切手の発行に関する所轄の官公庁によりその発行が許可されていることを示すデータを記億する記憶手段と、入力手段により入力された画像データと前記所轄官公庁によりその発行が許可されていることを示すデータとに基づいて、これらのデータが記録された郵便切手を作成する手段と、を有する郵便切手の発行システムにおいて、入力手段により入力された画像データを郵便切手に利用してよいかの判断をする判断手段を有する。【選択図】図２
2005186547.tif 000002
【特許請求の範囲】
【請求項１】
画像データの入力手段と、
郵便切手の発行に関する所轄の官公庁によりその発行が許可されていることを示すデータを記億する記憶手段と、
前記入力手段により入力された画像データと前記所轄官公庁によりその発行が許可されていることを示すデータとに基づいて、これらのデータが記録された郵便切手を作成する手段と、
を有する郵便切手の発行システムにおいて、
前記入力手段により入力された画像データを郵便切手に利用してよいかの判断をする判断手段を有することを特徴とする郵便切手の発行システム。
【請求項２】
前記判断手段は、前記入力手段により入力された画像データを解析し、利用してよいかの判断をすることを特徴とする請求項１に記載の郵便切手の発行システム。
【請求項３】
前記利用してよいかの判断の情報を操作者が入力可能な判断情報入力手段を有し、
前記判断手段は、前記判断情報入力手段により入力された情報に基づき郵便切手に利用してよいかの判断をすることを特徴とする請求項１に記載の郵便切手の発行システム。
【請求項４】
画像データの入力手段と、
郵便切手の発行に関する所轄の官公庁によりその発行が許可されていることを示すデータを記憶する記憶手段と、
前記入力手段により入力された画像データと前記所轄官公庁によりその発行が許可されていることを示すデータとに基づいて、これらのデータが記録された郵便切手を作成する手段と、
を有する郵便切手の発行システムにおいて、
所定の画像データを利用しての郵便切手発行ができないことを示す情報を表示する表示手段を有することを特徴とする郵便切手の発行システム。
【発明の詳細な説明】
【技術分野】
【０００１】
この発明は、特に所望の画像を有する郵便切手を作成する郵便切手の発行システムに関する。
【背景技術】
【０００２】
従来、郵便切手は予め公的機関が作成し、ユーザは公的機関が作成した郵便切手を郵便局で購入していた。この郵便切手は公的機関がその図柄を含めて作成するため、ユーザは自分の望む図柄の入った郵便切手を欲しても、得ることができなかった。このため、ユーザが自分の望む画像を郵便切手に印刷することができるシステムが提案されている（例えば特許文献１）。
【特許文献１】特開平１１−１８４３８０号公報
【発明の開示】
【発明が解決しようとする課題】
【０００３】
ところで、ユーザが自分の望む画像を郵便切手に印刷することができるものでは、公序良俗に反する画像を郵便切手に印刷したり、例えば有名人の画像等肖像権、著作権を侵害する画像等を郵便切手に印刷するおそれがある。
【０００４】
また、ユーザが自分の望む画像を郵便切手に印刷するようにすると、種々のメディアからの画像が利用されることになり、例えば画像の解像度が悪いために、高品質の郵便切手に印刷することができないことがある。
【０００５】
この発明は、かかる点に鑑みてなされたもので、公序良俗に反する画像や肖像権、著作権を侵害する画像等を郵便切手に印刷することを防止し、また高品質の郵便切手に印刷することが可能な郵便切手の発行システムを提供することを目的としている。
【課題を解決するための手段】
【０００６】
前記課題を解決し、かつ目的を達成するために、この発明は、以下のように構成した。
【０００７】
請求項１に記載の発明は、画像データの入力手段と、
郵便切手の発行に関する所轄の官公庁によりその発行が許可されていることを示すデータを記億する記憶手段と、
前記入力手段により入力された画像データと前記所轄官公庁によりその発行が許可されていることを示すデータとに基づいて、これらのデータが記録された郵便切手を作成する手段と、
を有する郵便切手の発行システムにおいて、
前記入力手段により入力された画像データを郵便切手に利用してよいかの判断をする判断手段を有することを特徴とする郵便切手の発行システムである。
【０００８】
請求項２に記載の発明は、前記判断手段は、前記入力手段により入力された画像データを解析し、利用してよいかの判断をすることを特徴とする請求項１に記載の郵便切手の発行システムである。
【０００９】
請求項３に記載の発明は、前記利用してよいかの判断の情報を操作者が入力可能な判断情報入力手段を有し、
前記判断手段は、前記判断情報入力手段により入力された情報に基づき郵便切手に利用してよいかの判断をすることを特徴とする請求項１に記載の郵便切手の発行システムである。
【００１０】
請求項４に記載の発明は、画像データの入力手段と、
郵便切手の発行に関する所轄の官公庁によりその発行が許可されていることを示すデータを記憶する記憶手段と、
前記入力手段により入力された画像データと前記所轄官公庁によりその発行が許可されていることを示すデータとに基づいて、これらのデータが記録された郵便切手を作成する手段と、
を有する郵便切手の発行システムにおいて、
所定の画像データを利用しての郵便切手発行ができないことを示す情報を表示する表示手段を有することを特徴とする郵便切手の発行システムである。
【発明の効果】
【００１１】
前記構成により、この発明は、以下のような効果を有する。
【００１２】
請求項１に記載の発明では、入力手段により入力された画像データを郵便切手に利用してよいかの判断をすることで、公序良俗に反する画像や肖像権、著作権を侵害する画像等を郵便切手に印刷することを防止することができる。
【００１３】
請求項２に記載の発明では、入力された画像データを解析し、利用してよいかの判断をすることで、簡単かつ確実に公序良俗に反する画像や肖像権、著作権を侵害する画像等を郵便切手に印刷することを防止することができる。
【００１４】
請求項３に記載の発明では、利用してよいかの判断の情報を操作者が入力可能な判断情報入力手段を有し、判断情報入力手段により入力された情報に基づき郵便切手に利用してよいかの判断をすることで、簡単かつ確実に公序良俗に反する画像や肖像権、著作権を侵害する画像等を郵便切手に印刷することを防止することができる。
【００１５】
請求項４に記載の発明では、所定の画像データを利用しての郵便切手発行ができないことを示す情報を表示することで、高品質の郵便切手を発行することができる。
【発明を実施するための最良の形態】
【００１６】
以下、この発明の郵便切手の発行システムの実施の形態について説明するが、この発明は、この実施の形態に限定されない。また、この発明の実施の形態は、発明の最も好ましい形態を示すものであり、この発明の用語はこれに限定されない。
【００１７】
図１は郵便切手の発行システムの外観を示す斜視図である。この実施の形態の郵便切手の発行システムは、システム本体１の前面側に、メディア装填口２、タッチパネル３、料金投入口４及び発行郵便切手取出口５が設けられている。料金投入口４から紙幣や硬貨で所定の金額を投入する。メディア装填口２には、記録媒体のメディア６をセットする。このメディア６には、デジタルカメラあるいは携帯電話のカメラで撮影された画像を記憶したメモリカード、あるいは、写真プリント等がある。
【００１８】
タッチパネル３には、入力キー部３ａと表示部３ｂが設けられ、入力キー部３ａからの操作で表示部３ｂに画像の表示を行ない、画像を郵便切手に印刷して切手シート７を発行する。この切手シート７は、発行郵便切手取出口５から取り出される。
【００１９】
図２は郵便切手の発行システムの概略構成図である。この実施の形態の郵便切手の発行システムは、図１のシステム本体１の内部に備えられ、ＣＰＵ１０、主記憶部１１、補助記憶部１２、判断情報入力部１３、画像データ入力部１４、プリンタ１５及びコインメック１６を有する。
【００２０】
ＣＰＵ１０は、主記憶部１１、補助記憶部１２、判断情報入力部１３、画像データ入力部１４、プリンタ１５及びコインメック１６の制御を行なう。補助記憶部１２には、システムの動作プログラムが記憶され、また、郵便切手の発行に関する所轄の官公庁によりその発行が許可されていることを示すデータが記億されている。さらに、補助記憶部１２には、入力された画像データから郵便切手を発行する必要なデータが記憶されている。
【００２１】
画像データ入力部１４は、メディア装填口２にセットされるメディア６に記憶された画像データを入力し、画像データの入力手段を構成する。この画像データ入力部１４から入力された画像データは、タッチパネル３の表示部３ｂに表示される。
【００２２】
画像データ入力部１４は、切手シートの所定領域に印刷するための画像を入力するもので、例えばデジタルカメラで撮影した画像をメモリカードに格納し、このメモリカードを画像データ入力部１４に接続することにより画像を入力するが、画像データ入力部１４の形態は任意であり、例えばメモリカードを接続するためのメモリカードインターフェースとして機能してもよく、あるいは、デジタルカメラからの信号を直接（メモリカードを介さずに）入力するためのインターフェースとして機能してもよい。また、写真プリント等の画像を読み取るスキャナからの信号を入力するインターフェースとしてもよい。
【００２３】
判断情報入力部１３は、入力手段である画像データ入力部１４により入力された画像データを郵便切手に利用してよいかの判断をする。この判断情報入力部１３が判断手段を構成し、公序良俗に反する画像や、例えば有名人の画像等肖像権、著作権を侵害する画像等を判断し、このような画像を郵便切手に印刷しないようにする。
【００２４】
ＣＰＵ１０と主記憶部１１とでシステムの動作プログラムが実行され、入力手段である画像データ入力部１４により入力された画像データと補助記憶部１２に記憶されている所轄官公庁によりその発行が許可されていることを示すデータとに基づいて、プリンタ１５により画像データが記録され郵便切手を作成する。
【００２５】
このプリンタ１５は、ＣＰＵ１０から供給された郵便切手画像データを受け取り、切手シート７の所定領域にその画像を印刷する。なお、印刷方法は、任意の方法を用いることができ、例えば、昇華型を用いることが可能である。
【００２６】
図３は郵便切手の発行システムの動作フローを示す図である。この実施の形態の郵便切手の発行システムでは、ステップｓ１において、入金されたか否かの判断を行ない、コインメック１６により入金されると、タッチパネル３の表示部３ｂには、図４に示すように、テンプレート選択画面４０が表示される。
【００２７】
テンプレート選択画面４０には、例えば風景、動植物、建物等が背景として記載されている郵便切手のテンプレート４０ａが表示される（ステップｓ２）。タッチパネル３の入力キー部３ａの操作によって郵便切手のテンプレート４０ａの選択を行なう（ステップｓ３）。これにより、表示部３ｂに画像データ入力のナビゲーションが表示される（ステップｓ４）。
【００２８】
このナビゲーション表示に基づいてタッチパネル３の入力キー部３ａの操作によって画像データ入力部１４から画像データを入力する。タッチパネル３の表示部３ｂには、図５に示すように、画像データ表示画面４１に画像データ４１ａが表示される。
【００２９】
ステップｓ５では、画像データ入力部１４により入力された画像データを郵便切手に利用してよいかの判断をし、利用してよい場合はプリントする（ステップｓ６）。
【００３０】
入力された画像データを郵便切手に利用してよいかの判断は、画像データ入力部１４から入力された画像データを解析し、利用してよいかの判断をする。この画像データの解析としては、例えば有名人の画像等肖像権、著作権を侵害する画像等を予め記憶しておき、入力された画像と比較して判断したり、また肌色の部分が多くあるとヌードの画像であると判断し、公序良俗に反する画像や肖像権、著作権を侵害する画像等を郵便切手に印刷することを防止する。
【００３１】
また、他の実施の形態として、利用してよいかの判断の情報を管理者である操作者が入力可能な判断情報入力手段を有する。操作者が判断情報入力手段を操作することによって、入力された情報に基づき郵便切手に利用してよいかの判断をする。
【００３２】
このように、操作者が入力された画像データを郵便切手に利用してよいかの判断をし、管理者である操作者の情報入力手段の操作によって公序良俗に反する画像や肖像権を侵害する画像等を郵便切手に印刷することを防止することができる。
【００３３】
前記操作者が入力された画像データを郵便切手に利用してよいかの判断し、利用が認められなかった場合は、ステップｓ４へ移行して表示部３ｂに画像データを郵便切手に利用できない旨のナビゲーション表示５０を行なう。
【産業上の利用可能性】
【００３４】
この郵便切手の発行システムは、例えば公序良俗に反する画像や肖像権を侵害する画像等を郵便切手に印刷することを防止し、また高品質の郵便切手に印刷することが可能で、特に所望の画像を有する郵便切手を作成する郵便切手の発行システムに適用できる。
【図面の簡単な説明】
【００３５】
【図１】郵便切手の発行システムの外観を示す斜視図である。
【図２】郵便切手の発行システムの概略構成図である。
【図３】郵便切手の発行システムの動作フローを示す図である。
【図４】テンプレート選択画面を示す図である。
【図５】画像データ表示画面を示す図である。
【図６】所定の画像データを利用しての郵便切手発行ができないことを示す情報を表示する図である。
【符号の説明】
【００３６】
１  システム本体
２  メディア装填口
３  タッチパネル
３ａ  入力キー部
３ｂ  表示部
４  料金投入口
５  発行郵便切手取出口
６  メディア
７  切手シート
１０  ＣＰＵ
１１  主記憶部
１２  補助記憶部
１３  判断情報入力部
１４  画像データ入力部
１５  プリンタ
１６  コインメック
【図１】
2005186547.tif 000003
【図２】
2005186547.tif 000004
【図３】
2005186547.tif 000005
【図４】
2005186547.tif 000006
【図５】
2005186547.tif 000007
【図６】
2005186547.tif 000008